(57)【要約】      （修正有）【課題】軽量、小型、かつ、運搬容易であって、贈り主に大きな経済的負担を強いることのない安価な葬儀用飾り物を提供する。【解決手段】木製の略短冊状体１における表面には花をあらわす図形層３を形成すると共に、贈り主を表示する贈り主表示部５と、故人に贈る言葉を表示する言葉表示部７とを備える。略短冊状体１の頂部９は、山形状又は、略円弧状に形成する。図形層は花の輪郭線よりなる。略短冊状体における表面には贈り主が所望の図形層を形成することができるスペースを設けてもよい。【選択図】図１
0003180561.tif 000002
【実用新案登録請求の範囲】
【請求項１】
木製の略短冊状体における表面には花をあらわす図形層を形成すると共に贈り主を表示する贈り主表示部と故人に贈る言葉を表示する言葉表示部とを備えさせたことを特徴とする葬儀用飾り物。
【請求項２】
前記略短冊状体の頂部は山形状に形成されていることを特徴とする請求項１に記載の葬儀用飾り物。
【請求項３】
前記図形層は前記花の輪郭線よりなることを特徴とする請求項１又は２に記載の葬儀用飾り物。
【請求項４】
木製の略短冊状体における表面には贈り主が所望の図形層を形成することができるスペースを設けると共に贈り主を表示する贈り主表示部と故人に贈る言葉を表示する言葉表示部とを備えさせたことを特徴とする葬儀用飾り物。
【考案の詳細な説明】
【技術分野】
【０００１】
本考案は、葬儀用飾り物に関するものである。
【背景技術】
【０００２】
葬儀用飾り物としては、例えば特開平１０−１１０３１７号公報に示すように、花輪（花環）が広く知られている。
【０００３】
従来の花輪は、造花又は生花を枠体に取り付けることにより正面視略円形状の花輪本体を形成し、該花輪本体に脚部を取り付け、該脚部に贈り主の氏名、名称等を表示してなるものが一般に使用されている。
【先行技術文献】
【特許文献】
【０００４】
【特許文献１】特開平１０−１１０３１７号公報
【考案の概要】
【考案が解決しようとする課題】
【０００５】
しかるに、花輪は大型であって、運搬に大きな車輌を必要とするため、一般に贈り主に大きな経済的負担を強いるものである。また、特に大都市の斎場等においては、スペース等の関係上、大型の花輪を持ち込むことができない場合がある。
【０００６】
このような状況に鑑み、本考案は、軽量、小型、かつ、運搬容易であって、贈り主に大きな経済的負担を強いることのない安価な葬儀用飾り物を提供しようとしてなされたものである。
【課題を解決するための手段】
【０００７】
上記課題を解決するために、本考案は、下記の葬儀用飾り物を提供するものである。
【０００８】
（１）木製の略短冊状体における表面には花をあらわす図形層を形成すると共に贈り主を表示する贈り主表示部と故人に贈る言葉を表示する言葉表示部とを備えさせたことを特徴とする葬儀用飾り物（請求項１）。
【０００９】
（２）前記略短冊状体の頂部は山形状に形成されている（請求項２）。
【００１０】
（３）前記図形層は前記花の輪郭線よりなる（請求項３）。
【００１１】
（４）木製の略短冊状体における表面には贈り主が所望の図形層を形成することができるスペースを設けると共に贈り主を表示する贈り主表示部と故人に贈る言葉を表示する言葉表示部とを備えさせたことを特徴とする葬儀用飾り物（請求項４）。
【考案の効果】
【００１２】
[請求項１の考案]
請求項１の考案による葬儀用飾り物は、木製の略短冊状体における表面には花をあらわす図形層を形成すると共に贈り主を表示する贈り主表示部と故人に贈る言葉を表示する言葉表示部とを備えさせてなるものであるため、軽量、小型、かつ、運搬容易であって、贈り主に大きな経済的負担を強いることのない安価な葬儀用飾り物である。この葬儀用飾り物は、葬儀等の際に、従来の花輪に代えて使用することができる。なお、略短冊状体は木製であるため、手触りの面でも好ましいものである。
【００１３】
この葬儀用飾り物は、大きなスペースをとるものではないため、葬儀場、斎場等の建物内に多数枚並置することができるのみならず、棺内にも入れることができる。
【００１４】
また、略短冊状体の表面には花をあらわす図形層を形成しているため、該葬儀用飾り物は、充分な美観を有すると共に弔意を表わすに足るものである。また、贈り主は、贈り主表示部に自己の氏名、名称、商号等を表示すると共に、言葉表示部に故人に対する贈り主の感謝の言葉、別れの言葉等の故人に贈る言葉を表示することができる。
【００１５】
[請求項２の考案]
請求項２の考案による葬儀用飾り物における略短冊状体の頂部は山形状に形成されているため、該葬儀用飾り物は外観上も申し分ないものである。
【００１６】
［請求項３の考案］
前記図形層は前記花の輪郭線よりなるものであるため、贈り主は該輪郭線内を所望の色で塗ることができる。換言すれば、贈り主は、輪郭線を利用していわば「塗り絵」を行うことにより、所望の色の図形層を形成することができる。
【００１７】
［請求項４の考案］
請求項４の考案においては、略短冊状体における表面には、予め図形層を形成することに代え、贈り主が所望の図形層を形成することができるスペースを設けているため、贈り主は、故人を思いつつ、所望の図形層を形成することができる。
【図面の簡単な説明】
【００１８】
【図１】図１は、本考案による葬儀用飾り物の一例を示す斜視図である。
【図２】図２は、本考案による葬儀用飾り物の別の一例を示す斜視図である。
【図３】図３は、図１のＩＩＩ−ＩＩＩ線における断面図である。
【図４】図４は、本考案による葬儀用飾り物の更に別の一例を示す斜視図である。
【図５】図５は、本考案による葬儀用飾り物の更に別の一例を示す斜視図である。
【考案を実施するための形態】
【００１９】
符号１に示すものは木製の略短冊状体である。略短冊状体１は、一例として、長さ約３００ｍｍ、幅約８０ｍｍ、厚さ約８ｍｍとする。
【００２０】
木製の略短冊状体１における表面には花をあらわす図形層３を形成する。図形層３は、例えば印刷により形成されるインキ層であってもよいが、花をあらわすシート状体を該略短冊状体１における表面に貼着してなるものであっても差し支えない。図形層３としてインキ層を用いる場合における印刷方式は、例えばシルク印刷、インクジェット印刷等とする。また、図形層３によりあらわされる花は、好ましくは菊とする。図１、図２参照。
【００２１】
図４に示す図形層３ａは前記花の輪郭線４、４・・・よりなるものである。
【００２２】
図５に示す事例においては、木製の略短冊状体１における表面には贈り主が所望の図形層を形成することができるスペース３ｂを設けている。
【００２３】
木製の略短冊状体１における表面には、更に、贈り主を表示する贈り主表示部５と故人に贈る言葉を表示する言葉表示部７とを備えさせる。
【００２４】
贈り主表示部５は、贈り主の氏名、名称、商号等、贈り主を特定するための文字を表示するものであるが、贈り主を特定し得るものであれば、文字に代えて図形、記号等を表示してもよい。
【００２５】
言葉表示部７は、故人に贈る言葉を表示するものである。故人に贈る言葉としては、例えば、故人に対する贈り主の感謝の言葉、別れの言葉等がある。
【００２６】
略短冊状体１の頂部９は、好ましくは図１、図５に示すように山形状に形成するが、図２、図４に示すように略円弧上に形成してもよい。
【符号の説明】
【００２７】
１  略短冊状体
３  図形層
３ａ  図形層
３ｂ  スペース
４  輪郭線
５  贈り主表示部
７  言葉表示部
９  頂部
【図１】
0003180561.tif 000003
【図２】
0003180561.tif 000004
【図３】
0003180561.tif 000005
【図４】
0003180561.tif 000006
【図５】
0003180561.tif 000007
【手続補正書】
【提出日】平成24年10月31日(2012.10.31)
【手続補正１】
【補正対象書類名】実用新案登録請求の範囲
【補正対象項目名】全文
【補正方法】変更
【補正の内容】
【実用新案登録請求の範囲】
【請求項１】
木製の略短冊状体における表面には花をあらわす図形層を形成すると共に、贈り主を表示する贈り主表示部と、故人に贈る言葉を表示する言葉表示部とを備え、前記略短冊状体の頂部は山形状又は略円弧状に形成されていることを特徴とする葬儀用飾り物。
【請求項２】
前記図形層は前記花の輪郭線よりなることを特徴とする請求項１に記載の葬儀用飾り物。
【請求項３】
木製の略短冊状体における表面には贈り主が所望の図形層を形成することができるスペースを設けると共に、贈り主を表示する贈り主表示部と、故人に贈る言葉を表示する言葉表示部とを備え、前記略短冊状体の頂部は山形状又は略円弧状に形成されていることを特徴とする葬儀用飾り物。
【手続補正２】
【補正対象書類名】明細書
【補正対象項目名】全文
【補正方法】変更
【補正の内容】
【考案の詳細な説明】
【技術分野】
【０００１】
本考案は、葬儀用飾り物に関するものである。
【背景技術】
【０００２】
葬儀用飾り物としては、例えば特開平１０−１１０３１７号公報に示すように、花輪（花環）が広く知られている。
【０００３】
従来の花輪は、造花又は生花を枠体に取り付けることにより正面視略円形状の花輪本体を形成し、該花輪本体に脚部を取り付け、該脚部に贈り主の氏名、名称等を表示してなるものが一般に使用されている。
【先行技術文献】
【特許文献】
【０００４】
【特許文献１】特開平１０−１１０３１７号公報
【考案の概要】
【考案が解決しようとする課題】
【０００５】
しかるに、花輪は大型であって、運搬に大きな車輌を必要とするため、一般に贈り主に大きな経済的負担を強いるものである。また、特に大都市の斎場等においては、スペース等の関係上、大型の花輪を持ち込むことができない場合がある。
【０００６】
このような状況に鑑み、本考案は、軽量、小型、かつ、運搬容易であって、贈り主に大きな経済的負担を強いることのない安価な葬儀用飾り物を提供しようとしてなされたものである。
【課題を解決するための手段】
【０００７】
上記課題を解決するために、本考案は、下記の葬儀用飾り物を提供するものである。
【０００８】
（１）木製の略短冊状体における表面には花をあらわす図形層を形成すると共に、贈り主を表示する贈り主表示部と、故人に贈る言葉を表示する言葉表示部とを備え、前記略短冊状体の頂部は山形状又は略円弧状に形成されていることを特徴とする葬儀用飾り物（請求項１）。
【０００９】
（２）前記図形層は前記花の輪郭線よりなる（請求項２）。
【００１０】
（３）木製の略短冊状体における表面には贈り主が所望の図形層を形成することができるスペースを設けると共に、贈り主を表示する贈り主表示部と、故人に贈る言葉を表示する言葉表示部とを備え、前記略短冊状体の頂部は山形状又は略円弧状に形成されていることを特徴とする葬儀用飾り物（請求項３）。
【考案の効果】
【００１１】
[請求項１の考案]
請求項１の考案による葬儀用飾り物は、木製の略短冊状体における表面には花をあらわす図形層を形成すると共に贈り主を表示する贈り主表示部と故人に贈る言葉を表示する言葉表示部とを備えさせてなるものであるため、軽量、小型、かつ、運搬容易であって、贈り主に大きな経済的負担を強いることのない安価な葬儀用飾り物である。この葬儀用飾り物は、葬儀等の際に、従来の花輪に代えて使用することができる。なお、略短冊状体は木製であるため、手触りの面でも好ましいものである。
【００１２】
この葬儀用飾り物は、大きなスペースをとるものではないため、葬儀場、斎場等の建物内に多数枚並置することができるのみならず、棺内にも入れることができる。
【００１３】
また、略短冊状体の表面には花をあらわす図形層を形成しているため、該葬儀用飾り物は、充分な美観を有すると共に弔意を表わすに足るものである。また、贈り主は、贈り主表示部に自己の氏名、名称、商号等を表示すると共に、言葉表示部に故人に対する贈り主の感謝の言葉、別れの言葉等の故人に贈る言葉を表示することができる。
【００１４】
更に、葬儀用飾り物における略短冊状体の頂部は山形状又は略円弧状に形成されているため、該葬儀用飾り物は外観上も申し分ないものである。
【００１５】
[請求項２の考案]
前記図形層は前記花の輪郭線よりなるものであるため、贈り主は該輪郭線内を所望の色で塗ることができる。換言すれば、贈り主は、輪郭線を利用していわば「塗り絵」を行うことにより、所望の色の図形層を形成することができる。
【００１６】
［請求項３の考案］
請求項３の考案においては、略短冊状体における表面には、予め図形層を形成することに代え、贈り主が所望の図形層を形成することができるスペースを設けているため、贈り主は、故人を思いつつ、所望の図形層を形成することができる。
【図面の簡単な説明】
【００１７】
【図１】図１は、本考案による葬儀用飾り物の一例を示す斜視図である。
【図２】図２は、本考案による葬儀用飾り物の別の一例を示す斜視図である。
【図３】図３は、図１のＩＩＩ−ＩＩＩ線における断面図である。
【図４】図４は、本考案による葬儀用飾り物の更に別の一例を示す斜視図である。
【図５】図５は、本考案による葬儀用飾り物の更に別の一例を示す斜視図である。
【考案を実施するための形態】
【００１８】
符号１に示すものは木製の略短冊状体である。略短冊状体１は、一例として、長さ約３００ｍｍ、幅約８０ｍｍ、厚さ約８ｍｍとする。
【００１９】
木製の略短冊状体１における表面には花をあらわす図形層３を形成する。図形層３は、例えば印刷により形成されるインキ層であってもよいが、花をあらわすシート状体を該略短冊状体１における表面に貼着してなるものであっても差し支えない。図形層３としてインキ層を用いる場合における印刷方式は、例えばシルク印刷、インクジェット印刷等とする。また、図形層３によりあらわされる花は、好ましくは菊とする。図１、図２参照。
【００２０】
図４に示す図形層３ａは前記花の輪郭線４、４・・・よりなるものである。
【００２１】
図５に示す事例においては、木製の略短冊状体１における表面には贈り主が所望の図形層を形成することができるスペース３ｂを設けている。
【００２２】
木製の略短冊状体１における表面には、更に、贈り主を表示する贈り主表示部５と故人に贈る言葉を表示する言葉表示部７とを備えさせる。
【００２３】
贈り主表示部５は、贈り主の氏名、名称、商号等、贈り主を特定するための文字を表示するものであるが、贈り主を特定し得るものであれば、文字に代えて図形、記号等を表示してもよい。
【００２４】
言葉表示部７は、故人に贈る言葉を表示するものである。故人に贈る言葉としては、例えば、故人に対する贈り主の感謝の言葉、別れの言葉等がある。
【００２５】
略短冊状体１の頂部９は、好ましくは図１、図５に示すように山形状に形成するが、図２、図４に示すように略円弧状に形成してもよい。
【符号の説明】
【００２６】
１  略短冊状体
３  図形層
３ａ  図形層
３ｂ  スペース
４  輪郭線
５  贈り主表示部
７  言葉表示部
９  頂部